(57)【要約】【課題】悪臭物質を放出する傾向が特に低い吸収剤を提供する。【解決手段】本発明は、湿ったガス混合物をジアルキルイミダゾリウム塩及びトリアルキルホスファートを含む吸収剤と接触させる、湿ったガス混合物を除湿する方法に関する。更に、本発明は、本発明による吸収剤を含む吸収ヒートポンプ及び本発明による吸収剤自体に関する。【選択図】図１
2017221938.tif 000002
【特許請求の範囲】
【請求項１】
湿ったガス混合物Ｇ1を、構造（Ｉ）
【化１】
2017221938.tif 000008
の少なくとも１種のトリアルキルホスファートと、Ｑ+Ａ-、Ｑ+（Ｒ1Ｏ）2ＰＯ2-、（Ｑ+）2Ｒ2ＯＰＯ32-、Ｑ+Ｍ+Ｒ3ＯＰＯ32-からなる群から選択される少なくとも１種の塩Ｓとの混合物を含む液体吸収媒体Ａ1と接触させて、前記湿ったガス混合物Ｇ1と比べて低い水含有率を示すガス混合物Ｇ2と、前記液体吸収媒体Ａ1と比べて高められた水含有率を示す液体吸収媒体Ａ2とを得る、湿ったガス混合物Ｇ1を除湿する方法において、
Ｑ+は、ジアルキルイミダゾリウムカチオンであり、Ａ-は、Ｒ*ＣＯＯ-、Ｒ′ＳＯ3-、ＨＳＯ4-、Ｒ″ＳＯ4-からなる群から選択されるアニオンであり、Ｒ*、Ｒ′、Ｒ″、ＲA、ＲB、ＲCは、各々無関係に、アルキル基であり、Ｒ1、Ｒ2、Ｒ3は、各々無関係にアルキル基であり、かつＭ+は、アルカリ金属イオンである、湿ったガス混合物Ｇ1を除湿する方法。
【請求項２】
Ｑ+は、ジアルキルイミダゾリウムカチオンであり、ここで、特に、アルキル基は、各々無関係に、１〜１０の炭素原子を有し、かつＲ*、Ｒ′、Ｒ″、ＲA、ＲB、ＲC、Ｒ1、Ｒ2、Ｒ3は、各々無関係に、１〜１０の炭素原子を有するアルキル基であり、かつＭ+は、Ｌｉ+、Ｋ+又はＮａ+である、請求項１に記載の方法。
【請求項３】
前記塩Ｓは、Ｑ+Ａ-、Ｑ+（Ｒ1Ｏ）2ＰＯ2-の群から選択され、かつＱ+は、ジアルキルイミダゾリウムカチオンであり、ここで、アルキル基は、各々無関係に、１〜６の炭素原子を有し、Ａ-は、Ｒ*ＣＯＯ-、Ｒ′ＳＯ3-、Ｒ″ＳＯ4-からなる群から選択されるアニオンであり、Ｒ*、Ｒ1、Ｒ′、Ｒ″、ＲA、ＲB、ＲCは、各々無関係に、１〜６の炭素原子を有するアルキル基である、請求項１又は２に記載の方法。
【請求項４】
ＲA、ＲB、ＲCは、各々無関係に、メチル、エチルから選択される、請求項１から３までのいずれか１項に記載の方法。
【請求項５】
前記液体吸収媒体Ａ1は水溶液である、請求項１から４までのいずれか１項に記載の方法。
【請求項６】
前記液体吸収媒体Ａ1中で、構造（Ｉ）の全てのトリアルキルホスファートと全ての塩Ｓとの全質量は、前記水溶液の全質量を基準として、６５質量％〜９５質量％の範囲にある、請求項５に記載の方法。
【請求項７】
前記液体吸収媒体Ａ1中で、構造（Ｉ）の全てのトリアルキルホスファートの全質量の、全ての塩Ｓの全質量に対する比率は、１：９９９９〜１：９の範囲にある、請求項１から６までのいずれか１項に記載の方法。
【請求項８】
前記方法を連続的に実施する、請求項１から７までのいずれか１項に記載の方法。
【請求項９】
構成要素
（ｉ）構造（Ｉ）
【化２】
2017221938.tif 000009
の少なくとも１種のトリアルキルホスファートと、Ｑ+Ａ-、Ｑ+（Ｒ1Ｏ）2ＰＯ2-、（Ｑ+）2Ｒ2ＯＰＯ32-、Ｑ+Ｍ+Ｒ3ＯＰＯ32-からなる群から選択される少なくとも１種の塩Ｓとの混合物を含む、液体吸収媒体Ａ1*、
（ｉｉ）湿ったガス混合物と前記液体吸収媒体Ａ1*とを接触させるために設置された少なくとも１つの水吸収ユニットＷabs2、
（ｉｉｉ）熱交換器Ｗx2を備え、かつ前記液体吸収媒体Ａ1*から水を少なくとも部分的に除去するために設置された少なくとも１つの水脱着ユニットＷdes2、
（ｉｖ）及び、前記水吸収ユニットＷabs2を前記水脱着ユニットＷdes2と接続し、かつ前記液体吸収媒体Ａ1*を循環させることができる循環路Ｕ2を備える、湿ったガス混合物を除湿する装置Ｖ2において、
Ｑ+は、ジアルキルイミダゾリウムカチオンであり、Ａ-は、Ｒ*ＣＯＯ-、Ｒ′ＳＯ3-、ＨＳＯ4-、Ｒ″ＳＯ4-からなる群から選択されるアニオンであり、Ｒ*、Ｒ′、Ｒ″、ＲA、ＲB、ＲCは、各々無関係に、アルキル基であり、Ｒ1、Ｒ2、Ｒ3は、各々無関係に、アルキル基であり、かつＭ+は、アルカリ金属イオンであることを特徴とする、湿ったガス混合物を除湿する装置Ｖ2。
【請求項１０】
Ａ1*中で、Ｑ+は、ジアルキルイミダゾリウムカチオンであり、ここで、特にアルキル基は、各々無関係に、１〜１０の炭素原子を有し、かつＲ*、Ｒ′、Ｒ″、ＲA、ＲB、ＲC、Ｒ1、Ｒ2、Ｒ3は、各々無関係に、１〜１０の炭素原子を有するアルキル基であり、かつＭ+は、Ｌｉ+、Ｋ+又はＮａ+である、請求項９に記載の装置Ｖ2。
【請求項１１】
Ａ1*中で、前記塩Ｓは、Ｑ+Ａ-、Ｑ+（Ｒ1Ｏ）2ＰＯ2-の群から選択され、Ｑ+は、ジアルキルイミダゾリウムカチオンであり、ここで、アルキル基は、各々無関係に、１〜６の炭素原子を有し、Ａ-は、Ｒ*ＣＯＯ-、Ｒ′ＳＯ3-、Ｒ″ＳＯ4-からなる群から選択されるアニオンであり、Ｒ*、Ｒ1、Ｒ′、Ｒ″、ＲA、ＲB、ＲCは、各々無関係に、１〜６の炭素原子を有するアルキル基である、請求項９又は１０に記載の装置Ｖ2。
【請求項１２】
ＲA、ＲB、ＲCは、互いに無関係に、メチル、エチルから選択される、請求項９から１１までのいずれか１項に記載の装置Ｖ2。
【請求項１３】
前記液体吸収媒体Ａ1*は水溶液である、請求項９から１２までのいずれか１項に記載の装置Ｖ2。
【請求項１４】
Ａ1*中で、構造（Ｉ）の全てのトリアルキルホスファートと全ての塩Ｓとの全質量は、前記水溶液の全質量を基準として６５質量％〜９５質量％の範囲にある、請求項１３に記載の装置Ｖ2。
【請求項１５】
Ａ1*中で、構造（Ｉ）の全てのトリアルキルホスファートの全質量の、全ての塩Ｓの全質量に対する比率は、１：９９９９〜１：９の範囲にある、請求項９から１４までのいずれか１項に記載の装置Ｖ2。
【請求項１６】
他の構成要素として、凝縮器、蒸発器、冷却剤を備え、前記冷却剤は水である、請求項９から１５までのいずれか１項に記載の装置Ｖ2を備えた吸収ヒートポンプ。
【請求項１７】
請求項１から８までのいずれか１項に記載の方法を実施するための請求項９から１５までのいずれか１項に記載の装置Ｖ2の使用。
【請求項１８】
構造（Ｉ）
【化３】
2017221938.tif 000010
の少なくとも１種のトリアルキルホスファートと、Ｑ+Ａ-、Ｑ+（Ｒ1Ｏ）2ＰＯ2-、（Ｑ+）2Ｒ2ＯＰＯ32-、Ｑ+Ｍ+Ｒ3ＯＰＯ32-からなる群から選択される少なくとも１種の塩Ｓとの混合物を含み、Ｑ+は、ジアルキルイミダゾリウムカチオンであり、Ａ-は、Ｒ*ＣＯＯ-、Ｒ′ＳＯ3-、ＨＳＯ4-、Ｒ″ＳＯ4-からなる群から選択されるアニオンであり、
Ｒ*、Ｒ′、Ｒ″、ＲA、ＲB、ＲC、Ｒ1、Ｒ2、Ｒ3は、各々無関係に、アルキル基であり、かつＭ+は、アルカリ金属イオンである、吸収媒体Ａ1*。
【請求項１９】
Ｑ+は、ジアルキルイミダゾリウムカチオンであり、ここで、特に、アルキル基は、各々無関係に、１〜１０の炭素原子を有し、かつＲ*、Ｒ′、Ｒ″、ＲA、ＲB、ＲC、Ｒ1、Ｒ2、Ｒ3は、各々無関係に、１〜１０の炭素原子を有するアルキル基であり、かつＭ+は、Ｌｉ+、Ｋ+又はＮａ+である、請求項１８に記載の吸収媒体Ａ1*。
【請求項２０】
前記塩Ｓは、Ｑ+Ａ-、Ｑ+（Ｒ1Ｏ）2ＰＯ2-の群から選択され、かつＱ+は、ジアルキルイミダゾリウムカチオンであり、ここで、アルキル基は、各々無関係に、１〜６の炭素原子を有し、Ａ-は、Ｒ*ＣＯＯ-、Ｒ′ＳＯ3-、Ｒ″ＳＯ4-からなる群から選択されるアニオンであり、Ｒ*、Ｒ1、Ｒ′、Ｒ″、ＲA、ＲB、ＲCは、各々無関係に、１〜６の炭素原子を有するアルキル基である、請求項１８又は１９に記載の吸収媒体Ａ1*。
【請求項２１】
ＲA、ＲB、ＲCは、互いに無関係に、メチル、エチルから選択される、請求項１８から２０までのいずれか１項に記載の吸収媒体Ａ1*。
【請求項２２】
前記吸収媒体Ａ1*は水溶液である、請求項１８から２１までのいずれか１項に記載の吸収媒体Ａ1*。
【請求項２３】
構造（Ｉ）の全てのトリアルキルホスファートと全ての塩Ｓとの全質量は、前記水溶液の全質量を基準として６５質量％〜９５質量％の範囲にある、請求項１８から２２までのいずれか１項に記載の吸収媒体Ａ1*。
【請求項２４】
構造（Ｉ）の全てのトリアルキルホスファートの全質量の、全ての塩Ｓの全質量に対する比率は、１：９９９９〜１：９の範囲にある、請求項１８から２３までのいずれか１項に記載の吸収媒体Ａ1*。
【発明の詳細な説明】
【技術分野】
【０００１】
本発明は、湿ったガス混合物をジアルキルイミダゾリウム塩及びトリアルキルホスファートを含む吸収剤と接触させる、湿ったガス混合物を除湿する方法に関する。更に、本発明は、本発明による吸収剤を含む吸収ヒートポンプ及び本発明による吸収剤自体に関する。
【背景技術】
【０００２】
本発明の背景
湿ったガス混合物の除湿は、多様な技術分野で必要である。
【０００３】
例えば、建物又は車両の換気及び空調は、一般に、冷却されるべき空気は、しばしば、所望の温度に冷却する間に温度が露点温度よりも低くなるほど湿っているため、空気の冷却ばかりでなく、空気の除湿も必要である。したがって、従来の空調システムでは、空気の除湿が、電力消費の大部分を占めている。
【０００４】
建物用の空調システムの電力消費は、乾燥媒体を用いて水を吸着又は吸収することで空気を除湿し、引き続き水を含む乾燥媒体を、再び水が脱着する温度に加熱することで再生することにより低減される。固体吸着剤による吸着と比べて、液体吸収媒体中への吸収の利点は、空気除湿を、装置の複雑さを減らしかつ僅かな乾燥剤で実施することができ、水を含む乾燥剤の再生を、太陽熱を用いて実施することが容易である点にある。
【０００５】
湿ったガス混合物の除湿が用いられる他の技術分野は、吸収式冷凍機の分野である（原理は、国際公開第２０１４／０７９６７５号（WO 2014/079675 A1）に記載されている；「吸収式冷凍機」は、本発明によれば「吸収ヒートポンプ」と同義に使用される）。ここで、湿ったガス混合物は、低圧下での水の蒸発の間に形成される。こうして形成された水蒸気は、湿ったガス混合物から除去する必要があり、こうして、次いで、この混合物は、新たなサイクルに通すために水蒸発に戻すことができる。ここでも、液体吸収媒体中での吸収は、固体吸着媒体による吸着よりも好ましい。
【０００６】
吸収式冷凍機で使用することに加えて、ガス流の乾燥を必要とする更なる領域が依然として存在する。これは、このために使用されるイオン液体に関して他の要件を適用する天然ガス精製である。
【０００７】
イオン液体を用いて湿分を吸収するために、先行技術は一連のイオン液体を提案する。例えば、独国特許出願公開第１０２０１０００４７７９号明細書（DE 10 2010 004 779 A1）は、１−エチル−３−メチルイミダゾリウムエチルスルファート、１−エチル−３−メチルイミダゾリウムメチルスルファート、１−エチル−３−メチルイミダゾリウムジエチルホスファート、１−エチル−３−メチルイミダゾリウムメチルスルホナート、１−ブチル−３−メチルイミダゾリウムビストリフルオロメタンスルホンイミド、１−ブチル−３−エチルイミダゾリウムクロリドを挙げている。
【０００８】
中国特許出願公開第１０２３３５５４５号明細書（CN 102335545 A）は、アルキルホスファートを基礎とする一連のイオン液体、すなわち、とりわけ１，３−ジメチルイミダゾリウムジメチルホスファート、１−エチル−３−メチルイミダゾリウムジメチルホスファート及び１−ブチル−３−メチルイミダゾリウムジメチルホスファートを記載している。
【０００９】
Y. Luo et al., Appl. Thermal Eng. 31 (2011) 2772-2777は、空気除湿のために、臭化リチウムの水溶液の代わりに、イオン液体の１−エチル−３−メチルイミダゾリウムテトラフルオロボラートを使用することを提案している。しかしながら、このイオン液体は、僅かな吸収能力を示すだけであるという欠点を有する。
【００１０】
Y. Luo et al., Solar Energy 86 (2012) 2718-2724は、空気除湿のために、１−エチル−３−メチルイミダゾリウムテトラフルオロボラートの代わりに、イオン液体の１，３−ジメチルイミダゾリウムアセタートを提案している。このアセタートは、M. Kanakubo et al., J. Mol. Liq. 217 (2016) 112-119にも記載されている。
【００１１】
米国特許出願公開第２０１１／０２４７４９４号明細書（US 2011/0247494 A1）は、この目的のために更なるイオン液体、つまり１−エチル−３−メチルイミダゾリウムアセタートを提案している。
【００１２】
これらのイオン液体を吸収式冷凍機に適用することも、国際公開第２０１３／０５０２４２号（WO 2013/050242 A1）に記載されている。
【先行技術文献】
【特許文献】
【００１３】
【特許文献１】国際公開第２０１４／０７９６７５号
【特許文献２】独国特許出願公開第１０２０１０００４７７９号明細書
【特許文献３】中国特許出願公開第１０２３３５５４５号明細書
【特許文献４】米国特許出願公開第２０１１／０２４７４９４号明細書
【特許文献５】国際公開第２０１３／０５０２４２号
【非特許文献】
【００１４】
【非特許文献１】Y. Luo et al., Appl. Thermal Eng. 31 (2011) 2772-2777
【非特許文献２】Y. Luo et al., Solar Energy 86 (2012) 2718-2724
【非特許文献３】M. Kanakubo et al., J. Mol. Liq. 217 (2016) 112-119
【発明の概要】
【発明が解決しようとする課題】
【００１５】
先行技術に記載されたこれらのイオン液体は、除湿のために極めて適しているが、ジアルキルイミダゾリウムイオンを含むイオン液体は、特にガス混合物と接触する際に、環境空気の嗅覚的な汚染を引き起こす薬品を放出するという欠点を示す。これは、特に、室内空気を除湿する際に当てはまり、かつ冷凍装置のような吸収式冷凍機の場合に望ましくない。したがって、この汚染を最小限にとどめることができる吸収剤が求められる。
【００１６】
このため、本発明の目的は、悪臭物質を放出する傾向が特に低い吸収剤を提供することにある。
【図面の簡単な説明】
【００１７】
【図１】図１は、本発明による装置Ｖ2／Ｖ1の態様を示す。
【図２】図２は、装置Ｖ2が組み込まれている吸収式冷凍機を図式的に示す。
【発明を実施するための形態】
【００１８】
この目的を達成する吸収媒体は、意外にも見出された。
【００１９】
本発明の詳細な説明
したがって、本発明は、湿ったガス混合物Ｇ1を、構造（Ｉ）
【化１】
2017221938.tif 000003
の少なくとも１種のトリアルキルホスファートと、Ｑ+Ａ-、Ｑ+（Ｒ1Ｏ）2ＰＯ2-、（Ｑ+）2Ｒ2ＯＰＯ32-、Ｑ+Ｍ+Ｒ3ＯＰＯ32-からなる群から選択される少なくとも１種の塩Ｓとの混合物を含む液体吸収媒体Ａ1と接触させて、湿ったガス混合物Ｇ1と比べて低い水含有率を示すガス混合物Ｇ2及び液体吸収媒体Ａ1と比べて高められた水含有率を示す液体吸収媒体Ａ2を得る、湿ったガス混合物Ｇ1を除湿する方法に関する。
Ｑ+は、ジアルキルイミダゾリウムカチオンであり、ここで、特にアルキル基は、各々無関係に、１〜１０の炭素原子を有し、
Ａ-は、Ｒ*ＣＯＯ-、Ｒ′ＳＯ3-、ＨＳＯ4-、Ｒ″ＳＯ4-からなる群から選択されるアニオンであり、Ｒ*、Ｒ′、Ｒ″、ＲA、ＲB、ＲCは、各々無関係に、特に１〜１０の炭素原子を有するアルキル基であり、
Ｒ1、Ｒ2、Ｒ3は、各々無関係に、特に１〜１０の炭素原子を有するアルキル基であり、
かつ、Ｍ+は、アルカリ金属イオン、好ましくはＬｉ+、Ｋ+又はＮａ+、より好ましくはＫ+又はＮａ+である。
【００２０】
「湿った」とは、本発明との関連で、「水、特に水蒸気を含む」を意味するものと解釈される。「除湿」とは、「少なくとも部分的に水を除去すること」を意味するものと解釈される。
【００２１】
「少なくとも部分的」とは、本発明との関連で、「一部又は全部」を意味するものと解釈される。
【００２２】
したがって、「湿ったガス混合物Ｇ1」は、本発明との関連で、ガス混合物Ｇ1が、水、特に水蒸気（「水蒸気」とは、気体状態の水を意味するものと解釈される）を含み、かつ、この組成は、その他の点で何ら特別な限定を受けないことを意味するものと解釈される。湿ったガス混合物の水含有率は、何ら特別な限定を受けることはないが、特に０．０１体積％〜９９．９９体積％である（「体積％」は、湿ったガス混合物Ｇ1の全体積を基準とした水蒸気の体積を表す）。湿ったガス混合物Ｇ1の組成は、その他の点で、本発明による方法の適用に依存して変化してよい。湿ったガス混合物Ｇ1は、特に、湿った天然ガス、湿った空気（これは、湿った室内空気又は吸収式冷凍機中での水の蒸発から生じる湿った空気であってよい）、好ましくは湿った空気から選択される。湿った天然ガスについての水含有率は、特に、０．０１体積％〜１５．００体積％であり、湿った空気についての水含有率は、特に、湿った室内空気の場合に０．０１体積％〜１５．００体積％であり、又は吸収式冷凍機中での水の蒸発から生じる湿った空気に関する場合に好ましい範囲は、特に９５．００体積％〜９９．９９体積％である。
【００２３】
この方法で使用される湿ったガス混合物Ｇ1は、特に２℃〜１００℃、好ましくは３℃〜６０℃、より好ましくは４℃〜５０℃、更により好ましくは５℃〜４０℃の温度を示し、かつその他の点で何ら特別な限定を受けない。しかしながら、この温度範囲での吸収能力は良好であるため、本発明によるこの方法は、特に、天然ガスの除湿のために適していて、このガスの処理はしばしばこの温度範囲で行われる。
【００２４】
本発明による方法の場合に、吸収媒体Ａ1は、好ましくは１０℃〜１００℃、好ましくは１５℃〜８０℃、より好ましくは２０℃〜５０℃、更により好ましくは２０℃〜３０℃の温度を示す。
【００２５】
この接触は、当業者に公知である任意の方法で、特に水吸収ユニットＷabs1（後で説明する）中で行われてよい。この接触は、吸収媒体Ａ1が、湿ったガス流のガス混合物Ｇ1から、湿分、すなわち水を少なくとも部分的に吸収することを引き起こす。
【００２６】
本発明による方法は、特に、装置Ｖ1中で実施される。この装置Ｖ1は、本発明による方法を実施するために適している程度でのみ限定される。特に、次の構成要素：
（ｉ）湿ったガス混合物を液体吸収媒体、特にＡ1と接触させるために設置された少なくとも１つの水吸収ユニットＷabs1
を備えた装置Ｖ1を使用してよい。
【００２７】
装置Ｖ1は、また、任意に、次の構成要素を備える：
（ｉｉ）熱交換器Ｗx1を備え、かつ液体吸収媒体、特にＡ2から水を少なくとも部分的に除去するために設置された少なくとも１つの水脱着ユニットＷdes1、
（ｉｉｉ）及び、水吸収ユニットＷabs1を水脱着ユニットＷdes1と接続し、かつ液体吸収媒体、特にＡ1及びＡ2を循環させることができる循環路Ｕ1。
【００２８】
したがって、本発明による方法は、水吸収ユニットＷabs1中で、当業者に通常のように実施されてよい。使用可能な水吸収ユニットＷabs1は、特に当業者に公知の水吸収器を備える。この吸収器は、液体吸収媒体Ａ1の表面積を増大させ、かつ同時に水の吸収の間に、水吸収器中での液体吸収媒体Ａ1のできる限り長い滞留時間を達成する原理に基づく。特に、ここでは、充填層、噴霧塔、流下薄膜、気泡塔、段塔、湿式スクラバ（例えばベンチュリスクラバ）、攪拌槽及びこれらの吸収器の組み合わせの群から選択された水吸収器を使用することができる。特に、水吸収器として、流下薄膜、特に多管式流下薄膜を使用することが好ましい。この水吸収ユニットＷabs1は、特に、液体吸収媒体Ａ1を所望の温度に調節するために設置された付加的な熱交換器Ｗz1を備えていてもよい。
【００２９】
熱交換器Ｗx1を備えた水脱着ユニットＷdes1中では、水を含む液体吸収媒体、特にＡ2から、同じ水を引き出すことができる。この水脱着ユニットＷdes1は、水を含む液体吸収媒体、特にＡ2に熱を供給し、水を含む液体吸収媒体Ａ1の表面積を増大させ、同時に水脱着ユニットＷdes1中での水を含む液体吸収媒体、特にＡ2のできる限り長い滞留時間を達成する原理に基づく。
【００３０】
熱交換器Ｗx1を備えた使用可能な水脱着ユニットＷdes1は、特に、当業者に公知の熱交換器と水脱着器との組み合わせを備え、特に、上流側の熱交換器、特に多管式熱交換器、平板式熱交換器を備えた水平式管型蒸発器を備える。更に、熱交換器Ｗx1を備えた水脱着ユニットＷdes1は、組込型熱交換器を備えた水脱着器であってもよい。このような組込型熱交換器を備えた水脱着器は、特に、上昇式薄膜蒸発器、垂直長管型蒸発器、垂直短管型蒸発器、強制循環型蒸発器、攪拌式薄膜蒸発器である。水脱着ユニットＷdes1として、流下薄膜、特に多管式流下薄膜を使用することが特に好ましい。
【００３１】
循環路Ｕ1内で、特に水吸収ユニットＷabs1からの水を含む液体吸収媒体Ａ2は、水脱着ユニットＷdes1に案内され、かつ更により好ましくは、特に本発明による方法が連続式に実施される場合に、水脱着ユニットＷdes1からの液体吸収剤は、水吸収ユニットＷabs1に案内される。
【００３２】
この循環路Ｕ1は、特に、導管、特にチューブ、ホースからなる群から選択される導管である。
【００３３】
更に好ましい実施態様の場合に、循環路Ｕ1は、また、ポンプを備える。
【００３４】
できるだけ多くの湿分が湿ったガス混合物Ｇ1から吸収されるために、湿ったガス混合物Ｇ1の接触の間に、吸収媒体Ａ1を冷却することが好ましい。これは、例えば、水吸収ユニットＷabs1中の付加的な熱交換器Ｗz1を介して達成してよい。
【００３５】
本発明による方法において、湿ったガス混合物Ｇ1を、構造（Ｉ）
【化２】
2017221938.tif 000004
の少なくとも１種のトリアルキルホスファートとＱ+Ａ-、Ｑ+（Ｒ1Ｏ）2ＰＯ2-、（Ｑ+）2Ｒ2ＯＰＯ32-、Ｑ+Ｍ+Ｒ3ＯＰＯ32-からなる群から選択される少なくとも１種の塩Ｓとの混合物を含む液体吸収媒体Ａ1と接触させて、湿ったガス混合物Ｇ1と比べて低い水含有率を示すガス混合物Ｇ2及び液体吸収媒体Ａ1と比べて高められた水含有率を示す液体吸収媒体Ａ2を得て、
Ｑ+は、ジアルキルイミダゾリウムカチオンであり、ここで、特にアルキル基は、各々無関係に、１〜１０、好ましくは１〜８、より好ましくは１〜６、よりいっそう好ましくは１〜４、更により好ましくは１又は２の炭素原子を有し、
Ａ-は、Ｒ*ＣＯＯ-、Ｒ′ＳＯ3-、ＨＳＯ4-、Ｒ″ＳＯ4-からなる群から選択されるアニオンであり、
Ｒ*、Ｒ′、Ｒ″、ＲA、ＲB、ＲC、Ｒ1、Ｒ2、Ｒ3は、各々無関係に、特に１〜１０、好ましくは１〜８、より好ましくは１〜６、よりいっそう好ましくは１〜４、更により好ましくは１又は２の炭素原子を有するアルキル基であり、
かつ、Ｍ+は、アルカリ金属イオン、好ましくはＬｉ+、Ｋ+又はＮａ+、より好ましくはＫ+又はＮａ+である。
【００３６】
本発明による方法の好ましい実施態様の場合に、塩Ｓは、Ｑ+Ａ-、Ｑ+（Ｒ1Ｏ）2ＰＯ2-からなる群から選択され、Ｑ+は、ジアルキルイミダゾリウムカチオンであり、ここで、アルキル基は、各々無関係に、１〜６、好ましくは１〜４、より好ましくは１又は２の炭素原子を有し、かつＡ-は、Ｒ*ＣＯＯ-、Ｒ′ＳＯ3-、Ｒ″ＳＯ4-からなる群から選択されるアニオンであり、ここで、Ｒ*、Ｒ1、Ｒ′、Ｒ″、ＲA、ＲB、ＲCは、各々無関係に、１〜６、好ましくは１〜４、より好ましくは１又は２の炭素原子を有するアルキル基である。
【００３７】
本発明による方法のより好ましい実施態様の場合に、塩Ｓは、一般式Ｑ+（Ｒ1Ｏ）2ＰＯ2-を示し、Ｑ+は、ジアルキルイミダゾリウムカチオンであり、ここで、アルキル基は、各々無関係に、メチル又はエチルであり、Ｒ1、ＲA、ＲB、ＲCは、各々無関係に、メチル又はエチルである。
【００３８】
本発明による方法の更により好ましい実施態様の場合に、塩Ｓは、一般式Ｑ+（Ｒ1Ｏ）2ＰＯ2-を示し、Ｑ+は、１，３−ジメチルイミダゾリウム、１，３−ジエチルイミダゾリウム、１−エチル−３−メチルイミダゾリウムからなる群から選択され、ＲA、ＲB、ＲC、Ｒ1は、各々無関係に、メチル又はエチルである。更により好ましくは、Ｑ+は、１−エチル−３−メチルイミダゾリウムであり、ＲA、ＲB、ＲC、Ｒ1は、各々無関係に、メチル又はエチルである。
【００３９】
更に、本発明による方法の前述の全ての実施態様の場合に、ＲA、ＲB、ＲCは、各々無関係に、メチル、エチルから選択される場合が特に好ましく、より好ましくは、ＲA＝ＲB＝ＲC＝メチル又はＲA＝ＲB＝ＲC＝エチル、特に好ましくはＲA＝ＲB＝ＲC＝エチルである。
【００４０】
液体吸収媒体Ａ1は、本発明による方法において、構造（Ｉ）のトリアルキルホスファートと塩Ｓとの純粋な混合物の形で使用してもよい。あるいは、より好ましくは本発明による方法において、液体吸収媒体Ａ1は、特に、構造（Ｉ）の全てのトリアルキルホスファートと全ての塩Ｓの全質量が、水溶液の全質量を基準として６５質量％〜９５質量％の範囲にある水溶液である。よりいっそう好ましくは、Ａ1中で、構造（Ｉ）の全てのトリアルキルホスファートと全ての塩Ｓの全質量が、水溶液の全質量を基準として７０質量％〜９０質量％の範囲にある、更により好ましくは７５質量％〜８７質量％の範囲にある。
【００４１】
本発明による方法において、吸収媒体Ａ1中での構造（Ｉ）の全てのトリアルキルホスファートの塩Ｓに対する比率は、何ら更なる限定を受けない。しかしながら、本発明による方法において、構造（Ｉ）の全てのトリアルキルホスファートの全質量の、全ての塩Ｓの全質量に対する比率が、１：９９９９〜１：９、より好ましくは１：９９９９〜１：９９、更により好ましくは１：９９９９〜１：９９９の範囲にある吸収媒体Ａ1を使用することが好ましい。
【００４２】
本発明による方法で得られる、湿ったガス混合物Ｇ1と比べて低い水含有率を示すガス混合物Ｇ2は、除湿されたガス流を表し、除湿された天然ガスの場合には、発電に供給することができる。
【００４３】
本発明による方法において得られる液体吸収媒体Ａ2は、液体吸収媒体Ａ1と比べて高められた水含有率を示す。Ａ2は、これに含まれる塩Ｓに関して、及びこれに含まれる構造（Ｉ）のトリアルキルホスファートに関して、Ａ1と同じであり、好ましくはその水含有率によってのみ区別されることが認識されるであろう。
【００４４】
本発明による方法の好ましい実施態様の場合に、更なる工程［「任意の工程ｂ）」、ここで、本発明による方法は、この関連で、「工程ａ）」と解釈される］において、液体吸収媒体Ａ2から水を少なくとも部分的に除去して、液体吸収媒体Ａ2と比べて低い水含有率を示す液体吸収媒体Ａ3を得ることが行われる。ここでは、付加的に熱が液体吸収媒体Ａ2に供給される。熱の供給及び少なくとも部分的な除去は、当業者に公知の任意の方法で、特に熱交換器Ｗx1を備えた水脱着ユニットＷdes1中で行ってよい。液体吸収媒体Ａ2からの水の少なくとも部分的な除去は、液体吸収媒体Ａ2と比べて低い水含有率を示す液体吸収媒体Ａ3を提供する。
【００４５】
液体吸収媒体Ａ3は、これに含まれる塩Ｓに関して、及びこれに含まれる構造（Ｉ）のトリアルキルホスファートに関して、Ａ2と同じであり、好ましくはその水含有率によってのみ区別されることが認識されるであろう。
【００４６】
更に好ましい実施態様の場合に、本発明による方法は、連続式で行われる。これは、特に、工程ｂ）に引き続き、工程ａ）及びｂ）が少なくとも１回実施され、かつ各々の場合に付加的に実施された工程ａ）で使用された液体吸収媒体Ａ1は、少なくとも部分的に、直前に実施された工程ｂ）から得られた液体吸収媒体Ａ3である、つまり特に、各々の場合に付加的に実施された工程ａ）中で使用された液体吸収媒体Ａ1の水含有量は、直前の工程ｂ）からの液体吸収媒体Ａ3の水含有率と同じであることを意味するものと解釈される。
【００４７】
この実施態様において、液体吸収媒体Ａ2には、液体吸収媒体Ａ3から熱が供給される場合が更により好ましい。これは、特に、多管式熱交換器及び平板型熱交換器からなる群から選択される付加的な熱交換器Ｗy1中で行ってよい。これにより、本発明による方法を、特にエネルギー効率の良い形で実施することが可能になる。
【００４８】
本発明は、また、別の態様において、構成要素
（ｉ）構造（Ｉ）
【化３】
2017221938.tif 000005
の少なくとも１種のトリアルキルホスファートと、Ｑ+Ａ-、Ｑ+（Ｒ1Ｏ）2ＰＯ2-、（Ｑ+）2Ｒ2ＯＰＯ32-、Ｑ+Ｍ+Ｒ3ＯＰＯ32-からなる群から選択される少なくとも１種の塩Ｓとの混合物を含む、液体吸収媒体Ａ1*、
（ｉｉ）湿ったガス混合物と液体吸収媒体Ａ1*とを接触させるために設置された少なくとも１つの水吸収ユニットＷabs2、
（ｉｉｉ）熱交換器Ｗx2を備え、かつ液体吸収媒体Ａ1*から水を少なくとも部分的に除去するために設置された少なくとも１つの水脱着ユニットＷdes2、
（ｉｖ）及び、水吸収ユニットＷabs2を水脱着ユニットＷdes2と接続し、かつ液体吸収媒体Ａ1*を循環させることができる循環路Ｕ2を備える、湿ったガス混合物、特に湿った空気を除湿する装置Ｖ2において、
Ｑ+は、ジアルキルイミダゾリウムカチオンであり、ここで、特にアルキル基は、各々無関係に、１〜１０、好ましくは１〜８、より好ましくは１〜６、よりいっそう好ましくは１〜４、更により好ましくは１又は２の炭素原子を有し、
Ａ-は、Ｒ*ＣＯＯ-、Ｒ′ＳＯ3-、ＨＳＯ4-、Ｒ″ＳＯ4-からなる群から選択されるアニオンであり、
Ｒ*、Ｒ′、Ｒ″、ＲA、ＲB、ＲC、Ｒ1、Ｒ2、Ｒ3は、各々無関係に、特に１〜１０、好ましくは１〜８、より好ましくは１〜６、よりいっそう好ましくは１〜４、更により好ましくは１又は２の炭素原子を有するアルキル基であり、
かつ、Ｍ+は、アルカリ金属イオン、好ましくはＬｉ+、Ｋ+又はＮａ+、より好ましくはＫ+又はＮａ+であることを特徴とする、湿ったガス混合物、特に湿った空気を除湿する装置Ｖ2に関する。
【００４９】
本発明による装置Ｖ2は、湿ったガス混合物、特に湿った空気を除湿するために適している。この装置は、次の構成要素を備える：
第一の構成要素として、本発明による装置Ｖ2は、構造（Ｉ）
【化４】
2017221938.tif 000006
の少なくとも１種のトリアルキルホスファートと、Ｑ+Ａ-、Ｑ+（Ｒ1Ｏ）2ＰＯ2-、（Ｑ+）2Ｒ2ＯＰＯ32-、Ｑ+Ｍ+Ｒ3ＯＰＯ32-からなる群から選択される少なくとも１種の塩Ｓとの混合物を含む液体吸収媒体Ａ1*を備え、
Ｑ+は、ジアルキルイミダゾリウムカチオンであり、ここで、特にアルキル基は、各々無関係に、１〜１０、好ましくは１〜８、より好ましくは１〜６、よりいっそう好ましくは１〜４、更により好ましくは１又は２の炭素原子を有し、
Ａ-は、Ｒ*ＣＯＯ-、Ｒ′ＳＯ3-、ＨＳＯ4-、Ｒ″ＳＯ4-からなる群から選択されるアニオンであり、
ここで、Ｒ*、Ｒ′、Ｒ″、ＲA、ＲB、ＲC、Ｒ1、Ｒ2、Ｒ3は、各々無関係に、特に１〜１０、好ましくは１〜８、より好ましくは１〜６、よりいっそう好ましくは１〜４、更により好ましくは１又は２の炭素原子を有するアルキル基であり、
かつ、Ｍ+は、アルカリ金属イオン、好ましくはＬｉ+、Ｋ+又はＮａ+、より好ましくはＫ+又はＮａ+である。
【００５０】
本発明による装置Ｖ2の好ましい実施態様の場合に、Ａ1*中で、塩Ｓは、Ｑ+Ａ-、Ｑ+（Ｒ1Ｏ）2ＰＯ2-からなる群から選択され、Ｑ+は、ジアルキルイミダゾリウムカチオンであり、ここで、アルキル基は、各々無関係に、１〜６、好ましくは１〜４、より好ましくは１又は２の炭素原子を有し、Ａ-は、Ｒ*ＣＯＯ-、Ｒ′ＳＯ3-、Ｒ″ＳＯ4-からなる群から選択されるアニオンであり、ここで、Ｒ*、Ｒ1、Ｒ′、Ｒ″、ＲA、ＲB、ＲCは、各々無関係に、１〜６、好ましくは１〜４、より好ましくは１又は２の炭素原子を有するアルキル基である。
【００５１】
本発明による装置Ｖ2のより好ましい実施態様の場合に、Ａ1*中で、塩Ｓは、一般式Ｑ+（Ｒ1Ｏ）2ＰＯ2-を示し、Ｑ+は、ジアルキルイミダゾリウムカチオンであり、ここでアルキル基は、各々無関係に、メチル又はエチルであり、Ｒ1、ＲA、ＲB、ＲCは、各々無関係に、メチル又はエチルである。
【００５２】
本発明による装置Ｖ2のよりいっそう好ましい実施態様の場合に、Ａ1*中で、塩Ｓは、一般式Ｑ+（Ｒ1Ｏ）2ＰＯ2-を示し、Ｑ+は、１，３−ジメチルイミダゾリウム、１，３−ジエチルイミダゾリウム、１−エチル−３−メチルイミダゾリウムからなる群から選択され、ＲA、ＲB、ＲC、Ｒ1は、各々無関係に、メチル又はエチルである。更により好ましくは、Ｑ+は、１−エチル−３−メチルイミダゾリウムであり、ＲA、ＲB、ＲC、Ｒ1は、各々無関係に、メチル又はエチルである。
【００５３】
更に、本発明による装置Ｖ2の上述の全ての実施態様の場合に、Ａ1*中で、ＲA、ＲB、ＲCは、各々無関係に、メチル、エチルから選択される場合が特に好ましく、より好ましくは、ＲA＝ＲB＝ＲC＝メチル又はＲA＝ＲB＝ＲC＝エチル、特に好ましくは、ＲA＝ＲB＝ＲC＝エチルである。
【００５４】
液体吸収媒体Ａ1*は、本発明による方法において、構造（Ｉ）のトリアルキルホスファートと塩Ｓとの純粋な混合物の形で使用されてよい。あるいは、より好ましくは本発明による方法において、液体吸収媒体Ａ1*は、特に、構造（Ｉ）の全てのトリアルキルホスファートと全ての塩Ｓの全質量が、水溶液の全質量を基準として６５質量％〜９５質量％の範囲にある水溶液である。よりいっそう好ましくは、Ａ1*中で、構造（Ｉ）の全てのトリアルキルホスファートと全ての塩Ｓの全質量が、水溶液の全質量を基準として７０質量％〜９０質量％の範囲にある、更により好ましくは７５質量％〜８７質量％の範囲にある。
【００５５】
液体吸収媒体Ａ1*中での構造（Ｉ）の全てのトリアルキルホスファートの塩Ｓに対する比率は、何ら更なる限定を受けない。しかしながら、本発明による装置Ｖ2中で、構造（Ｉ）の全てのトリアルキルホスファートの全質量の、全ての塩Ｓの全質量に対する比率が、１：９９９９〜１：９、より好ましくは１：９９９９〜１：９９、更により好ましくは１：９９９９〜１：９９９の範囲にある吸収媒体Ａ1*を使用することが好ましい。
【００５６】
第２の構成要素として、本発明による装置Ｖ2は、湿ったガス混合物を液体吸収媒体Ａ1*と接触させるために設置された水吸収ユニットＷabs2を備える。この水吸収ユニットＷabs2は、特に、液体吸収媒体Ａ1*を冷却可能にするために設置された付加的な熱交換器Ｗz2を備えていてよい。この種の使用可能な水吸収ユニットＷabs2は、特に当業者に公知の水吸収器を備える。この吸収器は、液体吸収媒体Ａ1*の表面積を増大させ、かつ同時に水の吸収の間に、水吸収器中での液体吸収媒体Ａ1*のできる限り長い滞留時間を達成する原理に基づく。特に、ここでは、充填層、噴霧塔、流下薄膜、気泡塔、段塔、湿式スクラバ（例えばベンチュリスクラバ）、攪拌槽及びこれらの吸収器の組み合わせの群から選択された水吸収器を使用することができる。特に、水吸収器として、流下薄膜、特に多管式流下薄膜を使用することが好ましい。
【００５７】
第３の構成要素として、本発明による装置Ｖ2は、熱交換器Ｗx2を備え、かつ液体吸収媒体Ａ1*から水を少なくとも部分的に除去するために設置された水脱着ユニットＷdes2を備える。特に、このために、当業者に公知の熱交換器と水脱着器との組み合わせを使用してよい。水脱着ユニットＷdes2は、液体吸収媒体Ａ1*に熱を供給し、液体吸収媒体Ａ1*の表面積を増大させ、同時に水脱着ユニット中での液体吸収媒体Ａ1*のできる限り長い滞留時間を達成する原理に基づく。
【００５８】
熱交換器Ｗx2を備えた使用可能な水脱着ユニットＷdes2は、特に、当業者に公知の熱交換器と水脱着器との組み合わせを備え、特に、上流側の熱交換器、特に多管式熱交換器、平板式熱交換器を備えた水平式管型蒸発器を備える。更に、熱交換器Ｗx2を備えた水脱着ユニットＷdes2は、組込型熱交換器を備えた水脱着器であってもよい。組込型熱交換器を備えたこのような水脱着器は、特に、上昇式薄膜蒸発器、垂直長管型蒸発器、垂直短管型蒸発器、強制循環型蒸発器、攪拌式薄膜蒸発器である。水脱着ユニットＷdes2として、流下薄膜、特に多管式流下薄膜を使用することが特に好ましい。
【００５９】
第４の構成要素として、本発明による装置Ｖ2は、水吸収ユニットＷabs2を水脱着ユニットＷdes2と接続し、かつ液体吸収媒体Ａ1*を循環させることができる循環路Ｕ2を備える。この循環路Ｕ2は、好ましくは、導管、より好ましくはチューブ、ホースからなる群から選択される導管である。更に好ましい実施態様の場合に、循環路Ｕ2は、また、ポンプを備える。
【００６０】
好ましい実施態様の場合に、装置Ｖ2は、更なる熱交換器Ｗy2を（水脱着ユニットＷdes2中に備えられた熱交換器Ｗx2に対して更に）備える。熱交換器Ｗy2は、水吸収ユニットＷabs2から水脱着ユニットＷdes2へ送られる液体吸収媒体Ａ1*に、液体吸収媒体Ａ1*から熱が供給されるように設置され、この媒体は、水脱着ユニットＷdes2から離れるように案内される。これは、熱交換器Ｗy2として、特に多管式熱交換器、平板型熱交換器から選択される熱交換器を使用することによって保証することができる。
【００６１】
更に好ましい実施態様の場合に、装置Ｖ2は、吸収ヒートポンプの一部である。この吸収ヒートポンプは、更なる構成要素として、凝縮器、蒸発器及び冷却剤を備え、ここで冷却剤は水である。
【００６２】
この凝縮器は、特に、導管を介して水脱着ユニットＷdes2と接続されていて、かつ水脱着ユニットＷdes2中で液体吸収媒体Ａ1*から少なくとも部分的に除去された水を凝縮するために設置されている。この凝縮器は、また、好ましくは冷却水循環路を備えている。
【００６３】
この蒸発器は、特に、導管（この導管は、絞り手段を備えていてよい）を介して凝縮器と接続されていて、かつ更なる導管を介して水吸収ユニットＷabs2に接続されていて、かつ凝縮器から凝縮された水を蒸発させるために設置されている。この蒸発器は、好ましくは、また、できる限り低い温度で凝縮水の蒸発を可能にするために、＜１ｂａｒ、より好ましくは＜０．１ｂａｒの圧力を示す。この蒸発器は、更に好ましくは、付加的に、熱を取り出し、かつ凝縮された水を蒸発させることができる装置（例えば、水を蒸発させる空間に冷却剤を通す冷却剤導管）を備えていてよい。
【００６４】
最後に、本発明は、吸収媒体Ａ1*自体にも関し、ここで、この吸収媒体Ａ1*は、構造（Ｉ）
【化５】
2017221938.tif 000007
の少なくとも１種のトリアルキルホスファートと、Ｑ+Ａ-、Ｑ+（Ｒ1Ｏ）2ＰＯ2-、（Ｑ+）2Ｒ2ＯＰＯ32-、Ｑ+Ｍ+Ｒ3ＯＰＯ32-からなる群から選択される少なくとも１種の塩Ｓとの混合物を含み、
Ｑ+は、ジアルキルイミダゾリウムカチオンであり、ここで、特にアルキル基は、各々無関係に、１〜１０、好ましくは１〜８、より好ましくは１〜６、よりいっそう好ましくは１〜４、更により好ましくは１又は２の炭素原子を有し、
Ａ-は、Ｒ*ＣＯＯ-、Ｒ′ＳＯ3-、ＨＳＯ4-、Ｒ″ＳＯ4-からなる群から選択されるアニオンであり、
ここで、Ｒ*、Ｒ′、Ｒ″、ＲA、ＲB、ＲC、Ｒ1、Ｒ2、Ｒ3は、各々無関係に、特に１〜１０、好ましくは１〜８、より好ましくは１〜６、よりいっそう好ましくは１〜４、更により好ましくは１又は２の炭素原子を有するアルキル基であり、
かつ、Ｍ+は、アルカリ金属イオン、好ましくはＬｉ+、Ｋ+又はＮａ+、より好ましくはＫ+又はＮａ+である。
【００６５】
本発明による吸収媒体Ａ1*の好ましい実施態様の場合に、この媒体中で、塩Ｓは、Ｑ+Ａ-、Ｑ+（Ｒ1Ｏ）2ＰＯ2-からなる群から選択され、Ｑ+は、ジアルキルイミダゾリウムカチオンであり、ここで、アルキル基は、各々無関係に、１〜６、好ましくは１〜４、より好ましくは１又は２の炭素原子を有し、Ａ-は、Ｒ*ＣＯＯ-、Ｒ′ＳＯ3-、Ｒ″ＳＯ4-からなる群から選択されるアニオンであり、Ｒ*、Ｒ1、Ｒ′、Ｒ″、ＲA、ＲB、ＲCは、各々無関係に、１〜６、好ましくは１〜４、より好ましくは１又は２の炭素原子を有するアルキル基である。
【００６６】
本発明による吸収媒体Ａ1*のより好ましい実施態様の場合に、この媒体中で、塩Ｓは、一般式Ｑ+（Ｒ1Ｏ）2ＰＯ2-を示し、Ｑ+は、ジアルキルイミダゾリウムカチオンであり、ここでアルキル基は、各々無関係に、メチル又はエチルであり、Ｒ1、ＲA、ＲB、ＲCは、各々無関係に、メチル又はエチルである。
【００６７】
本発明による吸収媒体Ａ1*のよりいっそう好ましい実施態様の場合に、この媒体中で、塩Ｓは、一般式Ｑ+（Ｒ1Ｏ）2ＰＯ2-を示し、Ｑ+は、１，３−ジメチルイミダゾリウム、１，３−ジエチルイミダゾリウム、１−エチル−３−メチルイミダゾリウムからなる群から選択され、ＲA、ＲB、ＲC、Ｒ1は、各々無関係に、メチル又はエチルである。更により好ましくは、Ｑ+は、１−エチル−３−メチルイミダゾリウムであり、ＲA、ＲB、ＲC、Ｒ1は、各々無関係に、メチル又はエチルである。
【００６８】
更に、本発明による吸収媒体Ａ1*の上述の全ての実施態様の場合に、Ａ1*中で、ＲA、ＲB、ＲCは、各々無関係に、メチル、エチルから選択される場合が好ましく、より好ましくは、ＲA＝ＲB＝ＲC＝メチル又はＲA＝ＲB＝ＲC＝エチル、特に好ましくは、ＲA＝ＲB＝ＲC＝エチルである。
【００６９】
液体吸収媒体Ａ1*は、構造（Ｉ）のトリアルキルホスファートと塩Ｓの純粋な混合物の形で存在してよい。あるいは、より好ましくは、液体吸収媒体Ａ1*は、特に、構造（Ｉ）の全てのトリアルキルホスファートと全ての塩Ｓとの全質量が、水溶液の全質量を基準として６５質量％〜９５質量％の範囲にある水溶液である。よりいっそう好ましくは、Ａ1*中で、構造（Ｉ）の全てのトリアルキルホスファートと全ての塩Ｓとの全質量が、水溶液の全質量を基準として７０質量％〜９０質量％の範囲にある、更により好ましくは７５質量％〜８７質量％の範囲にある。
【００７０】
液体吸収媒体Ａ1*中での構造（Ｉ）の全てのトリアルキルホスファートの塩Ｓに対する比率は、何ら更なる限定を受けない。液体吸収媒体Ａ1*中で、構造（Ｉ）の全てのトリアルキルホスファートの全質量の、全ての塩Ｓの全質量に対する比率は、好ましくは１：９９９９〜１：９、より好ましくは１：９９９９〜１：９９、更により好ましくは１：９９９９〜１：９９９の範囲内にある。
【００７１】
以下に説明する図１及び２は、本発明による方法及び本発明による装置の好ましい実施態様を示す。
【００７２】
図１に示した装置Ｖ1は、導管＜１０１＞が導入されかつ導管＜１０２＞が導出される水吸収ユニットＷabs1＜１０３＞（任意付加的に熱交換器Ｗz1＜１０４＞を備える）と、熱交換器Ｗx1＜１０８＞と水脱着器＜１０９＞を備えかつ導管＜１１１＞が導入されかつ導管＜１１０＞、＜１１２＞及び＜１１３＞が導出される水脱着ユニットＷdes1と、導管＜１０６＞、＜１１１＞及び＜１１３＞又は＜１０６＞、＜１１１＞、＜１１２＞及び＜１０５＞から形成された循環路Ｕ2（それぞれの場合に、任意に、導管＜１１４＞を備える）とを備える。図１の装置は、任意に、導管＜１０６＞及び＜１１２＞が導入されかつ導管＜１０５＞及び＜１１１＞が導出される更なる熱交換器Ｗy1＜１０７＞を備えていてもよい。更に、装置Ｖ1は、液体吸収媒体Ａ1も含む。この媒体は、上述の構成要素の水吸収ユニットＷabs1、水脱着ユニットＷdes1、循環路Ｕ1の１つ以上の中に含まれている。水吸収ユニットＷabs1＜１０３＞は、任意に、付加的な熱交換器Ｗz1＜１０４＞も備えていてよく、この熱交換器Ｗz1＜１０４＞により液体吸収媒体Ａ1は、例えば１０℃〜１００℃、好ましくは１５℃〜８０℃、より好ましくは２０℃〜５０℃、更により好ましくは２０℃〜３０℃の温度にもたらされていてよい。任意に、循環路Ｕ2は、付加的に、液体吸収媒体Ａ1を運ぶためのポンプを備えていてもよい。
【００７３】
本発明による方法を、ここで、図１を用いて装置Ｖ1に関して例示的に記載する：
例えば、２℃〜１００℃の温度を示す湿ったガス混合物Ｇ1の流れ（この流れは、湿った空気、湿った天然ガス又は湿ったガス混合物であってよく、これらの選択に関しては図２にも当てはまる）は、導管＜１０１＞を介して水吸収ユニットＷabs1＜１０３＞に供給され、かつ導管＜１０５＞を介して又は導管＜１１３＞を介して水吸収ユニットＷabs1＜１０３＞に供給される液体吸収媒体Ａ1と接触される。この水吸収ユニットＷabs1＜１０３＞は、Ｗabs1について上述に列挙された任意の水吸収器、特に流下薄膜であってよい。水吸収ユニットＷabs1＜１０３＞中で、導管＜１０１＞を介して供給されたガス混合物Ｇ1を、導管＜１０５＞又は導管＜１１３＞を介して供給された液体吸収媒体Ａ1と接触させることは、液体吸収媒体Ａ1と比べて高められた水含有率を示す液体吸収媒体Ａ2を提供し、かつガス混合物Ｇ2の流れは、導管＜１０２＞を介して搬出され、ここで、Ｇ2は、湿ったガス混合物Ｇ1と比べて低い水含有率を示す。用途に依存して、Ｇ2は、特に除湿された天然ガスである。水吸収ユニットＷabs1＜１０３＞は、任意に、付加的熱交換器Ｗz1＜１０４＞を備えていてもよく、この熱交換器Ｗz1＜１０４＞によって液体吸収媒体Ａ1は、例えば１０℃〜１００℃、好ましくは１５℃〜８０℃、より好ましくは２０℃〜５０℃、更により好ましくは２０℃〜３０℃の温度に調節することができる。好ましくは、導管＜１０６＞、＜１１１＞及び熱交換器Ｗy1＜１０７＞を介して（又は、熱交換器Ｗy1＜１０７＞が使用されていない場合には、導管＜１０６＞、＜１１１＞及び＜１１４＞を介して）、液体吸収媒体Ａ2は、次いで、熱交換器Ｗx1＜１０８＞及び水脱着器＜１０９＞から構成された水脱着ユニットＷdes1に通される。水を含む液体吸収媒体Ａ2に、更に、任意の熱交換器Ｗy1＜１０７＞中で熱が供給されてよい。液体吸収媒体Ａ2から水を少なくとも部分的に除去することは、水脱着器＜１０９＞中で実施され、液体吸収媒体Ａ2と比べて低い水含有率を示す液体吸収媒体Ａ3を提供する。除去された水は、次いで、水脱着器＜１０９＞から、液体又は蒸気として、好ましくは蒸気として、導管＜１１０＞を介して搬出される。液体吸収媒体Ａ3は、次いで、水脱着器＜１０９＞から搬出され、かつ水吸収ユニットＷabs1＜１０３＞に戻される。これは、直接、つまり図１に破線で示された導管＜１１３＞を介して行ってよい。あるいは、好ましくは、液体吸収媒体Ａ3は、導管＜１１２＞を介して、任意の熱交換器Ｗy1＜１０７＞に供給されてもよく、ここで、導管＜１０６＞を介して任意の熱交換器Ｗy1＜１０７＞に供給された液体吸収媒体Ａ2に、次いで導管＜１１２＞を介して任意の熱交換器Ｗy1＜１０７＞に供給された液体吸収媒体Ａ3から熱が供給される。濃縮された液体吸収媒体Ａ3が、導管＜１０５＞又は＜１１３＞を介して水吸収ユニットＷabs1に供給される場合に、この媒体は、新たなサイクルにおいてガス流を少なくとも部分的に除湿するためにＡ1として再使用される。
【００７４】
図２は、装置Ｖ2が組み込まれている吸収式冷凍機を図式的に示す。構成要素＜１０１＞〜＜１１４＞は、図１に記載された装置Ｖ2についてと同じものを示す。更に、図２中の吸収式冷凍機は、導管＜１１０＞を介して水脱着ユニットＷdes2＜１０９＞と接続されている凝縮器＜２１１＞を備え、かつ、水脱着ユニットＷdes2中で液体吸収媒体Ａ1*から少なくとも部分的に除去された水を凝縮するために設置されている。この凝縮器＜２１１＞は、好ましくは、また、冷却水を供給することができる熱交換器＜２１２＞を備える。
【００７５】
図２に示された吸収式冷凍機は、また、導管＜２１６＞（この導管＜２１６＞は、任意に絞り手段＜２１３＞を備えていてよい）を介して凝縮器＜２１１＞と接続し、かつ導管＜１０１＞を介して水吸収ユニットＷabs2と接続された蒸発器＜２１４＞を備える。蒸発器＜２１４＞は、凝縮器から凝縮された水を蒸発させるために設置されている。更に、蒸発器＜２１４＞は、更に好ましくは、媒体を供給する熱交換器＜２１５＞を備えていてもよく、この媒体から熱が取り出され、凝縮された水を蒸発させる（例えば、特に冷却剤として水を用いた冷却剤導管、この冷却剤は蒸発器＜２１４＞に通される）。
【００７６】
本発明による方法の実施態様（図２を用いて装置Ｖ1に関して以後に記載される）の場合に、蒸発器＜２１４＞に由来する湿ったガス混合物Ｇは、導管＜１０１＞を介して水吸収ユニットＷabs1＜１０３＞に通される。水脱着ユニットＷdes1で除去された水は、導管＜１１０＞を介して凝縮器＜２１１＞に供給され、そこでこの水は再凝縮される。この凝縮器中に取り付けられた熱交換器＜２１２＞としての冷却水循環路は、任意に同様にこのために使用される。凝縮された水は、次いで導管＜２１６＞を介して蒸発器＜２１４＞に供給され、ここで水の蒸発は、特に低圧で行われ、それにより冷却効果がもたらされる。これは、任意に、絞り手段＜２１３＞を用いて行ってもよい。これは、蒸発器＜２１４＞内での冷却作用を達成し、例えば、冷却剤を、熱交換器＜２１５＞を介して冷却してよい。生成された水蒸気は、次いで、導管＜１０１＞を介して水吸収ユニットＷabs1＜１０３＞に戻される。
【００７７】
以下の実施例は、本発明を説明することを意図しているが、本発明を決して限定するものではない。
【実施例】
【００７８】
分解をシミュレートするために、１−エチル−３−メチルイミダゾリウムジエチルホスファート（「ＥＭＩＭ  ＤＥＰ」、国際公開第２００４／０１６６３１号（WO 2004/016631 A1）に従って製造）とトリエチルホスファート（「ＴＥＰ」、Sigma Aldrichから購入；ＣＡＳ番号：７８−４０−０）との混合物を、２０分間１５０℃で保温する。
【００７９】
Ｖ１：ＥＭＩＭ  ＤＥＰ８５質量％及びＨ2Ｏ１５質量％の混合物
Ｅ１：ＥＭＩＭ  ＤＥＰ７５質量％、Ｈ2Ｏ１５質量％、ＴＥＰ１０質量％の混合物
Ｅ２：ＥＭＩＭ  ＤＥＰ８０質量％、Ｈ2Ｏ１５質量％、ＴＥＰ５質量％の混合物
Ｅ３：ＥＭＩＭ  ＤＥＰ８４質量％、Ｈ2Ｏ１５質量％、ＴＥＰ１質量％の混合物
この保温の後に、気相を、ガスクロマトグラフィー及び質量分析により、分解生成物のＮ−メチルイミダゾールについて調査した。
【００８０】
火炎イオン化検出器を用いて測定したＮ−メチルイミダゾールピークの強度ピークの領域は、気相中の割合に正比例する。
【００８１】
試料Ｖ１では、明確なＮ−メチルイミダゾールピークが観察されたが、このピークは試料Ｅ１、Ｅ２、Ｅ３では存在しなかった。これは、トリエチルホスファートの意外な安定化効果を示す。
【００８２】
相応する結果が、他のトリアルキルホスファートについても観察される。
【図１】
2017221938.tif 000011
【図２】
2017221938.tif 000012